(57)【要約】【課題】迅速に初期消火が行えることで、延焼を抑えることができる消火設備を提供する。【解決手段】消火設備１０は、建物の居室である第１空間Ｓ１および廊下である第２空間Ｓ２を仕切る壁体に埋め込まれるケース２０と、ケース２０に収納され、消火水を放水する散水ノズル３１を有する消火ホース３０と、第１空間Ｓ１に向いたケース２０の第１開口２０ａに取り付けられた第１扉４１および第２空間Ｓ２に向いたケース２０の第２開口２０ｂに取り付けられた第２扉４２とを備えている。第１空間Ｓ１での火災には、第１扉４１を開け、消火ホース３０が巻き回されたホースドラム６０を回転させて第１開口２０ａから引き出し、消火ホース３０を引っ張り、散水ノズル３１から水道配管からの消火水を放水して消火する。また、第２空間Ｓ２での火災には、第２扉４２を開け、消火ホース３０が巻き回されたホースドラム６０を第２開口２０ｂから引き出して消火する。【選択図】図３
2016179176.tif 000002
【特許請求の範囲】
【請求項１】
建物の第１空間および第２空間を仕切る壁体に埋め込まれるケースと、
前記ケースに収納され、消火水を放水するノズルを有する消火ホースと、
前記第１空間に向いた前記ケースの第１開口に取り付けられた第１扉および前記第２空間に向いた前記ケースの第２開口に取り付けられた第２扉と、
前記消火ホースが巻き回されたホースドラムと、
前記ホースドラムを支持する支軸を中心に、前記ホースドラムを、前記第１開口側または前記第２開口側に回転させる支持部材とを備えた消火設備。
【請求項２】
前記消火ホースと接続された前記ホースドラムからの中継用配管は、消火水を供給する給水管と切替弁を介して接続され、
前記切替弁は、前記ホースドラムと共に軸回転する前記中継用配管の回転位置によって通水状態または閉鎖状態が切り替わるものであり、前記ホースドラムが収納状態のときに閉鎖状態、前記ホースドラムが回転して使用状態のときに通水状態となるものである請求項１記載の消火設備。
【請求項３】
前記第１扉および前記第２扉は、前記支持部材の支軸側を中心に開閉する請求項１または２記載の消火設備。
【請求項４】
前記ケースは、前記消火ホースを収納する収納部を有する第１ケース部材と、前記第１ケース部材の外側に嵌合されるケース厚調整用の第２ケース部材とを備えた請求項１から３のいずれかの項に記載の消火設備。
【請求項５】
前記消火ホースは、水道配管からの水道水を吐出するものである請求項１から４のいずれかの項に記載の消火設備。
【発明の詳細な説明】
【技術分野】
【０００１】
本発明は、建物の壁体に配置され、火災発生時の初期消火時に使用される消火設備に関するものである。
【背景技術】
【０００２】
消火設備は、消火器と共に、火災発生時の初期消火には重要な役割を担う。消火設備は、火災発生現場まで、収納された消火ホースが引き出され、火災に向かって消火水が放水されることで、初期段階で大きくなっていない状態の火災を鎮火させたり、消防自動車などの到着までの時間に火災が大きくなってしまわないようにしたりすることができる。
このような消火設備について、特許文献１に記載されたものが知られている。
【０００３】
この特許文献１に記載の屋内消火栓は、正面部が扉で形成されている箱状枠体内に、扉の開動に従動して枠体外に繰り出し自在に軸支された基台と、基台の繰出し部に水平回転自在に軸支され、フレキシブル管製ホースが巻き付けているドラムと、基台の繰り出しにレバーハンドルが従動するバルブと、扉の開動に応答して、ポンプが運転するための電流を流すスイッチとを備えたものである。
【０００４】
また、海に架設されるような大橋の分離帯に設置されるものであるが、特許文献２に記載されたものが知られている。
特許文献２に記載の橋などに設けられる消火栓は、ホースが巻き付けられたホースリールが内装され、かつホースを引き出しできる扉と開口部が、上部左右にそれぞれ設けられた装置箱を有するものである。
【先行技術文献】
【特許文献】
【０００５】
【特許文献１】特開平１−２５０２７３号公報
【特許文献２】特開昭６２−３８１８３号公報
【発明の概要】
【発明が解決しようとする課題】
【０００６】
この特許文献１に記載の屋内消火栓では、ホースが引き出され、火災現場までホースが延ばされて消火活動が行われる。しかし、屋内消火栓が埋め込まれた壁体の裏側が火災現場であるときには、消火活動を行う者は、ホースを持った状態で、壁体の裏側に通じる扉を通って、火災現場に向かう必要がある。
そうしたときに、屋内消火栓から火災現場まで、ホースが届かなかったり、消火活動を行う者が迂回するときに時間を要したりして、初期消火に間に合わないおそれがある。
【０００７】
一方、特許文献２に記載の消火栓は、装置箱の上部左右に、ホースを引き出しできる扉と開口部が形成されているため、この消火栓を壁体に埋め込めば、いずれの壁体側からもホースが引き出せるものと思われる。しかし、特許文献２に記載の消火栓では、装置箱の上部左右に形成された狭い扉からは、ホースを引き出し難い。従って、この消火栓では、消火まで時間が掛かってしまおそれがある。特に、高齢者であれば、より消火活動の開始までに時間を要することが懸念される。
【０００８】
そこで本発明は、迅速に初期消火が行えることで、延焼を抑えることができる消火設備を提供することを目的とする。
【課題を解決するための手段】
【０００９】
本発明の消火設備は、建物の第１空間および第２空間を仕切る壁体に配置されるケースと、前記ケースに収納され、消火水を放水するノズルを有する消火ホースと、前記第１空間に向いた前記ケースの第１開口に取り付けられた第１扉および前記第２空間に向いた前記ケースの第２開口に取り付けられた第２扉と、前記消火ホースが巻き回されたホースドラムと、前記ホースドラムを支持する支軸を中心に、前記ホースドラムを、前記第１開口側または前記第２開口側に回転させる支持部材とを備えたことを特徴とする。
【００１０】
本発明の消火設備によれば、壁体によって仕切られた第１空間で火災が発生すれば、第１扉を開けて消火ホースを取り出すことができ、第２空間で火災が発生すれば、第２扉を開けて消火ホースを取り出すことができるため、迅速に初期消火を行うことができる。また、支持部材が、支持部材の上下方向に延びる支軸を中心に、消火ホースが巻き回されたホースドラムを、第１開口側または第２開口側に回転させることで、ホースドラムをケースから引き出すことができるので、第１空間側または第２空間側で発生した火災に向けて消火ホースを容易に引き出すことができる。
【００１１】
前記消火ホースと接続された前記ホースドラムからの中継用配管は、消火水を供給する給水管と切替弁を介して接続され、前記切替弁は、前記ホースドラムと共に軸回転する前記中継用配管の回転位置によって通水状態または閉鎖状態が切り替わるものであり、前記ホースドラムが収納状態のときに閉鎖状態、前記ホースドラムが回転して使用状態のときに通水状態となるものとすることができる。中継用配管と給水管とが切替弁を介して接続されていると、切替弁は、ホースドラムが収納状態のときに閉鎖状態、使用状態のときに通水状態となるため、元栓を開けたり締めたりしなくても、ホースドラムの状態によって切り替えることができる。
【００１２】
前記第１扉および前記第２扉は、前記支持部材の支軸側を中心に開閉することができる。第１扉および第２扉が、支持部材の支軸側を中心に開閉すると、ホースドラムを回転させるときに、第１扉および第２扉が同じ方向に回転するため、第１扉および第２扉がホースドラムの邪魔にならない。
【００１３】
前記ケースは、前記消火ホースを収納する収納部を有する第１ケース部材と、前記第１ケース部材の外側に嵌合されるケース厚調整用の第２ケース部材とを備えることができる。第１ケース部材に対する第２ケース部材の嵌合深さを調整することで、壁体の厚みに応じたケースを構成することができる。
【００１４】
前記消火ホースは、水道配管からの水道水を吐出するものとすることができる。水道水は水道配管から圧送されるので、消火ホースから放水する消火水を、水道配管からの水道水とすることで、消火水を貯留槽から汲み上げるような動力源が不要である。
【発明の効果】
【００１５】
本発明の消火設備によれば、第１開口または第２開口のいずれかから引き出されたホースドラムから消火ホースが取り出すことができるので、壁体を挟んだ第１空間または第２空間のいずれかで火災が発生しても、迅速に初期消火が行えることで、延焼を抑えることができる。
【図面の簡単な説明】
【００１６】
【図１】本発明の実施の形態に係る消火設備が設置された建物の状態を示す図である。
【図２】図１に示す消火設備を説明するための斜視図である。
【図３】図２に示す消火設備を使用して第１空間（居室）で発生した火災を消火する状態を説明するための図である。
【図４】図２に示す消火設備を使用して第２空間（廊下）で発生した火災を消火する状態を説明するための図である。
【図５】図２に示す消火設備のホースドラムの軸芯部の構造を説明するための断面図である。
【図６】図２に示す消火設備の中継用配管と給水管とを連結するスイベルジョイントの構造を説明するための断面図である。
【図７】図６に示すスイベルジョイントの状態を説明するための図であり、（Ａ）はスイベルジョイントが閉鎖状態の図、（Ｂ）および（Ｃ）は、スイベルジョイントが通水状態の図である。
【図８】図２に示す消火設備の使用状態を説明するための図であり、（Ａ）は図２に示す消火設備の状態を示す概略図、（Ｂ）は図３に示す消火設備の状態を示す概略図、（Ｃ）は図４に示す消火設備の状態を示す概略図である。
【発明を実施するための形態】
【００１７】
本発明の実施の形態に係る消火設備を図面に基づいて説明する。
図１に示すように消火設備１０は、建物Ｂ０の居室である第１空間Ｓ１および廊下である第２空間Ｓ２を仕切る壁体Ｗに配置される。
消火設備１０は、図２から図に示すように、壁体Ｗに埋め込まれるケース２０と、ケースに収納され、消火水を放水するノズルを有する消火ホース３０と、ケースの第１空間Ｓ１に向いた第１開口２０ａに取り付けられた第１扉４１および第２空間Ｓ２に向いた第２開口２０ｂに取り付けられた第２扉４２とを備えている。
【００１８】
ケース２０は、消火ホース３０を収納する収納部２１１を有するケース本体となる第１ケース部材２１０と、第１ケース部材２１０の外側に嵌合されるケース厚調整用の第２ケース部材２２０とを備えている。
【００１９】
第１ケース部材２１０は、第１開口２０ａが形成された側と反対となる側も開口した四角筒状部材である。第１ケース部材２１０の床部２１２は、一部の領域が、下方に向かって凸となる三角形状に形成されている。床部２１２の最も深い位置には、排水管に接続されるドレンホース５１が設けられている。第１ケース部材２１０の第１開口２０ａの周縁部には、壁体Ｗ（図１参照）に取り付けるためのフランジ２１３が形成されている。
【００２０】
第２ケース部材２２０は、第１ケース部材２１０に外側から嵌合されるために、第２開口２０ｂが形成された側と反対となる側も開口した四角筒状部材である。従って、第２ケース部材２２０は、第１ケース部材２１０より一回り大きい形状に形成されている。第２ケース部材２２０の第２開口２０ｂの周縁部には、壁体Ｗ（図１参照）に取り付けるためのフランジ２２３が形成されている。
【００２１】
第１ケース部材２１０と第２ケース部材２２０とは、簡単に設置することができる。まず、壁体Ｗに形成した開口に、第２空間Ｓ２側から第２ケース部材２２０を差し込む。次に、この第２ケース部材２２０に、第１空間Ｓ１側から第１ケース部材２１０を差し込む。そして、第１ケース部材２１０のフランジ２１３と第２ケース部材２２０のフランジ２２３とにタッピングねじ等をねじ込む。そうすることで、第１ケース部材２１０と第２ケース部材２２０とを、壁体Ｗに固定することができる。
【００２２】
消火ホース３０は、可撓性を有している。消火ホース３０は、難燃性や耐熱性、耐火性を有しているのが望ましいが、本実施の形態に係る消火設備１０が初期消火だけを目的とするものであるため、ガーデニングや洗車に用いられる樹脂製ホースとしてもよい。
消火ホース３０が有するノズルは、消火水を、霧状としたり、シャワー状としたり、直接吐出したりすることが選択でき、トリガを引くことで吐出する散水ノズル３１である。
【００２３】
消火ホース３０は、ホースドラム６０に巻き回されている。ホースドラム６０は、図５に示すように、消火ホース３０が巻かれる軸芯部６１と、軸芯部６１の両端部に形成された一対の鍔部６２とを備えている。
軸芯部６１は、ホース用Ｌ型竹の子と称される連結部材３２と介して接続される消火ホース３０の基端部と、ホースドラム６０の軸芯部６１に接続された中継用配管７１とを連結するスイベルジョイント６３により形成されている。このスイベルジョイント６３は、ホースドラム６０が軸芯部６１の軸周りに回転しても、常に、消火ホース３０と中継用配管７１とを連通する機能を有している。
【００２４】
図２から図４に示すように、ホースドラム６０は支持部材７０により支持されている。支持部材７０は、ホースドラム６０の一面側を支持する第１支持部材７２と、ホースドラム６０の他面側を支持すると共に、ホースドラム６０の移動を可能とする第２支持部材７３とを備えている。
【００２５】
第１支持部材７２は、三角形状に形成されたプレート部材である。
第２支持部材７３は、ケース２０の床部２１２と天井部２１４との間で上下方向に延びて支軸となる回転軸部材７３１と、回転軸部材７３１の中央部から延びて軸芯部６１に接続された水平棒状部材７３２と、回転軸部材７３１の両端部から水平棒状部材７３２へ向かって傾斜した状態で延びる傾斜棒状部材７３３とを備えている。
回転軸部材７３１の下端から水平棒状部材７３２までの間と、水平棒状部材７３２とが、上述した中継用配管７１を兼ねている。
【００２６】
図１および図６に示すように、回転軸部材７３１（中継用配管７１）の下端は、ケース２０を貫通する給水管８１と、ホースドラム６０の反対側で連結する切替弁であるスイベルジョイント８２に接続されている。
スイベルジョイント８２は、図７（Ａ）から同図（Ｃ）に示すように、円筒状の弁箱８２１の内部に、給水管８１からホースドラム６０に向かう方向と直交する２ヵ所に通水口８２２ａ，８２２ｂが形成された弁体８２２が配置されている。
【００２７】
給水管８１は、水道配管Ｐに接続されることで、消火ホース３０は水道配管Ｐからの消火水を吐出する。
【００２８】
図２から図４に示すように第１扉４１および第２扉４２は、例えば、蝶番などによりケース２０に取り付けられている。第１扉４１および第２扉４２は、透明、半透明、不透明なアクリル製とすることができるが、他の材質のものとしてもよい。
第１扉４１および第２扉４２は、支持部材７０の回転軸部材７３１（支軸）側を中心に開閉するように形成されている。本実施の形態では、第１開口２０ａ側から見て、第１空間Ｓ１側に取り出されたホースドラム６０が左側から右側に回転するので、第１扉４１も左側から右側に開く。また、第２開口２０ｂ側から見て、ホースドラム６０が右側から左側に開くので、第２扉４２も右側から左側に開く。
【００２９】
この消火設備１０には、ケース２０の収納部２１１に、防煙マスク８３とめがね８４とが収納されている。
【００３０】
以上のように構成された本発明の実施の形態に係る消火設備１０の動作および使用状態について、図面に基づいて説明する。
まず、図２および図８（Ａ）に示すように、火災が発生していない通常状態では、消火設備１０の消火ホース３０は収納状態である。収納状態とは、消火ホース３０は、ホースドラム６０に巻き回された状態で、ホースドラム６０がケース２０内に収まり、第１扉４１および第２扉４２が閉じた状態である。
このとき、支持部材７０の回転軸部材７３１（中継用配管７１）は、第１支持部材７２と、第２支持部材７３の水平棒状部材７３２とを、ケース２０（第１ケース部材２１０）の側壁部２１５の方向へ向けた回転位置となる。従って、図７（Ａ）に示すように、通水口８２２ａ，８２２ｂが給水管８１から９０度ずれたところに位置するため、ホースドラム６０が収納状態のときには、スイベルジョイント８２は閉鎖状態となる。
このように図８（Ａ）に示すホースドラム６０が収納状態のときに、スイベルジョイント８２は閉鎖状態となるため、元栓を締めることなく、水道水を給水管８１から中継用配管７１に流れることを防止することができる。
【００３１】
例えば、図３および図８（Ｂ）に示すように、居室（第１空間Ｓ１）にて火災が発生したとする。操作者は、まず、第１扉４１を開き、回転軸部材７３１を中心にホースドラム６０を、第１開口２０ａから第１空間Ｓ１側に回転させることで、ホースドラム６０を第１開口２０ａから外側に位置させる。そうすることにより、ホースドラム６０が、消火ホース３０の引き出し方向が、ホースドラム６０の収納時から交差した状態となる。次に、操作者は、散水ノズル３１を持ち、消火ホース３０をホースドラム６０から引き出しながら、火災発生場所まで急行する。
【００３２】
ホースドラム６０を、第１空間Ｓ１側に水平方向に回転させることで、回転軸部材７３１も、上方から見て反時計回りに９０度軸回転する。そのため、図７（Ｂ）に示すように、給水管８１の接続位置に通水口８２２ａが位置し、中継用配管７１に繋がる側に通水口８２２ｂが位置することで、給水管８１と中継用配管７１とが、切替弁であるスイベルジョイント８２によって連通する。
【００３３】
従って、図３に示すように、ホースドラム６０を第１空間Ｓ１側に回転させるだけで、元栓を開けることなく、水道水を給水管８１から中継用配管７１に流れさせることができる。
このとき、ホースドラム６０が第１空間Ｓ１側に９０度回転させたときに弁開度が最大となるため、消火ホース３０を使用するときには、ホースドラム６０は９０度回転させて使用することが望ましい（図７（Ｂ）参照）。
【００３４】
また、操作者が、第１空間Ｓ１側からホースドラム６０に巻き回された消火ホース３０を引き出すときに、ホースドラム６０を、支軸とした回転軸部材７３１を中心に、第１空間Ｓ１側に回転させるだけで、ホースドラム６０からの消火ホース３０の引き出し方向を壁体Ｗの壁面Ｗ１の面方向と交差する方向に向けて、ホースドラム６０をケース２０から引き出すことができる。従って、消火ホース３０をホースドラム６０から容易に引き出すことができる。
【００３５】
次に、図４および図８（Ｃ）に示すように、廊下（第２空間Ｓ２）にて火災が発生したとする。操作者は、居室に火災が発生したときと同様に、まず、第２扉４２を開き、回転軸部材７３１を中心にホースドラム６０を第２空間Ｓ２側に回転させることで、ホースドラム６０を第２開口２０ｂから外側に位置させる。そうすることにより、ホースドラム６０が、消火ホース３０の引き出し方向が、ホースドラム６０の収納時から交差した状態となる。次に、操作者は、散水ノズル３１を持ち、消火ホース３０をホースドラム６０から引き出しながら、火災発生場所まで急行する。
【００３６】
ホースドラム６０を第２空間Ｓ２側に水平方向に回転させることで、回転軸部材７３１も上方から見て時計回りに９０度軸回転する。そのため、図７（Ｃ）に示すように、給水管８１の接続位置に通水口８２２ｂが位置し、中継用配管７１に繋がる側に通水口８２２ａが位置することで、給水管８１と中継用配管７１とがスイベルジョイント８２によって連通する。
【００３７】
従って、図４に示すように、ホースドラム６０を第２空間Ｓ２側に回転させるだけで、元栓を開けることなく、水道水を給水管８１から中継用配管７１に流れさせることができる。
このとき、ホースドラム６０が第２空間Ｓ２側に９０度回転させたときに弁開度が最大となるため、消火ホース３０を使用するときには、ホースドラム６０は９０度回転させて使用することが望ましい（図７（Ｃ）参照）。
【００３８】
操作者は、散水ノズル３１を持って消火ホース３０を引きながら、火災発生場所まで急行するときに、必要に応じて、ケース２０の収納部２１１に収納された、防煙マスク８３とめがね８４とを持参する。
そして、操作者は、散水ノズル３１のトリガを引いて火災に向かって放水することで、初期消火を迅速に行うことができる。操作者が防煙マスク８３とめがね８４とを装着すれば、煙を吸い込んだり、煙が目に入ったりして、消火活動に支障を来すような事態を回避することができる。
【００３９】
散水ノズル３１は、消火水を、霧状としたり、シャワー状としたり、直接吐出したりことが選択できるので、火災の状況に応じて、適切な形状の消火水を放水することができる。
消火水は、給水管８１に接続された水道配管Ｐから圧送される水道水から得ているため、消火設備１０に給水するためのポンプなど動力源が不要である。従って、消火設備１０をコンパクトに構成することができる。
【００４０】
以上のように、図２から図４に示す本実施の形態に係る消火設備１０によれば、壁体Ｗによって仕切られた第１空間Ｓ１で火災が発生すれば、第１扉４１を開けて消火ホース３０を取り出すことができ、第２空間Ｓ２で火災が発生すれば、第２扉４２を開けて消火ホース３０を取り出すことができる。そのため、消火設備１０は、壁体Ｗを挟んだ第１空間Ｓ１または第２空間Ｓ２のいずれかで火災が発生しても、迅速に初期消火が行えることで、延焼を抑えることができる。また、消火栓１０は、操作が簡単なため高齢者でも一人で消火活動を行うことができる。
【００４１】
また、ケース２０が、消火ホースを収納する収納部２１１を有する第１ケース部材２１０と、第１ケース部材２１０の外側に嵌合されるケース厚調整用の第２ケース部材２２０とを備えることにより、第１ケース部材２１０に対する第２ケース部材２２０の嵌合深さを調整することで、壁体Ｗの厚みに応じたケース２０とすることができる。従って、薄い壁体Ｗでも消火設備１０を収納することができるため、一般家庭でも、消火設備１０を設置することができる。
【００４２】
また、第１空間Ｓ１にて火災が発生したときには、操作者は、第１開口２０ａに向かって、第１扉４１の左側を持って右側に向かって開き、ホースドラム６０を右側に向かって回転させて引き出す。また、第２空間Ｓ２にて火災が発生したときには、操作者は、第２開口２０ｂに向かって、第２扉４２の右側を持って左側に開き、ホースドラム６０を左側に回転させて引き出す。このように、第１扉４１および第２扉４２が、ホースドラム６０を支持する支持部材の回転軸部材７３１を中心に開閉するため、ホースドラム６０を回転させるときに、第１扉４１および第２扉４２が同じ方向に回転する。従って、第１扉４１および第２扉４２がホースドラム６０の邪魔にならない。
【００４３】
更に、ケース２０の床部２１２は下方に向かって凸となる三角形状に形成され、ドレンホース５１が接続されているため、床部に溜まった水を排水することができる。従って、消火ホース３０から消火水をケース２０内に吐出させる点検を、定期的に行うことができる。定期的に消火ホース３０から消火水を吐出させることで、消火ホース３０の内圧を抑えることができるため、消火ホース３０の劣化を抑えることができる。
【００４４】
また、ホースドラム６０の軸芯部６１がスイベルジョイント６３により形成されているため、ホースドラム６０の回転位置がどこにあっても、消火ホース３０と中継用配管７１とが連通している。従って、ホースドラム６０から消火ホース３０の引き出し長さがどのような長さで、ホースドラム６０から消火ホース３０の取り出し途中にあっても、スイベルジョイント６３が通水状態となっているので、給水管８１からの消火水を消火ホース３０へ供給することができる。
【００４５】
なお、本実施の形態に係る消火設備１０では、第１空間Ｓ１が居室で、第２空間Ｓ２が廊下としていたが、第１空間Ｓ１または第２空間Ｓ２は、一方が屋内で、他方が屋外でもよい。また、消火ホース３０は、ホースドラム６０に巻き回された状態でケース２０に収納されていたが、ケース２０の第１開口２０ａおよび第２開口２０ｂから消火ホースが取り出すことができばれ、消火ホースは通水することで伸長し、通水が終了すると縮小するホースとすることもできる。その場合にはホースドラムは省略することができる。
【産業上の利用可能性】
【００４６】
本発明の消火設備は、各種の施設だけでなく、一般家庭に簡単に設置できるため好適である。
【符号の説明】
【００４７】
１０  消火設備
２０  ケース
２０ａ  第１開口
２０ｂ  第２開口
２１０  第１ケース部材
２１１  収納部
２１２  床部
２１３  フランジ
２１４  天井部
２１５  側壁部
２２０  第２ケース部材
２２３  フランジ
３０  消火ホース
３１  散水ノズル
３２  連結部材
４１  第１扉
４２  第２扉
５１  ドレンホース
６０  ホースドラム
６１  軸芯部
６２  鍔部
６３  スイベルジョイント
７０  支持部材
７１  中継用配管
７２  第１支持部材
７３  第２支持部材
７３１  回転軸部材
７３２  水平棒状部材
７３３  傾斜棒状部材
８１  給水管
８２  スイベルジョイント
８２１  弁箱
８２２  弁体
８２２ａ，８２２ｂ  通水口
８３  防煙マスク
８４  めがね
Ｂ０  建物
Ｓ１  第１空間
Ｓ２  第２空間
Ｗ  壁体
Ｗ１  壁面
Ｐ  水道配管
【図１】
2016179176.tif 000003
【図２】
2016179176.tif 000004
【図３】
2016179176.tif 000005
【図４】
2016179176.tif 000006
【図５】
2016179176.tif 000007
【図６】
2016179176.tif 000008
【図７】
2016179176.tif 000009
【図８】
2016179176.tif 000010